(57)【特許請求の範囲】
【請求項１】
符号分割多重（Code Division Multiplex:ＣＤＭ）方式により伝送されるデジタル放送を受信可能であって、ＣＤＭチャネル構成情報及びＰＳＩ（Program Specific Information）を含むシステム情報を保存する内部メモリを備えた端末機において、
デジタル放送の受信要求があると、チャネル情報が記録されたＳＤＴ（Service Description Table）を提供し、ユーザーが所望の放送チャネルを選択する第１の過程と、
前回のデジタル放送の受信時に取得し前記内部メモリに保存されているシステム情報を用いて、前記ユーザーが選択した放送チャネルを受信するための初期受信動作を開始する第２の過程と、
を含み、
前記端末機は、前記システム情報を取得したときに該取得したシステム情報を前記内部メモリに保存すると共に、前記デジタル放送の受信中に前記システム情報が更新されたときは、その更新ごとに前記内部メモリに保存されているシステム情報を更新することを特徴とするデジタル放送の受信方法。
【請求項２】
前記初期受信動作を開始した後に、
現在のデジタル放送信号のパイロットチャネルを通じて同期をとる第３の過程と、
現在のデジタル放送信号からＣＤＭチャネル構成情報及びＰＳＩの取得を試みるととともに、前記初期受信動作の結果を用いて前記ユーザーが選択した放送チャネルに対応するＣＤＭチャネルを復調する第４の過程と、
現在のデジタル放送信号のパイロットチャネルからＣＤＭチャネル構成情報を取得すると、取得したＣＤＭチャネル構成情報と、前記内部メモリに保存されているＣＤＭチャネル構成情報とを比較し、その比較結果に基づいて端末機の動作を決定する第５の過程と、
をさらに含むことを特徴とする請求項１に記載のデジタル放送の受信方法。
【請求項３】
前記第５の過程は、ＣＤＭチャネル構成情報のバージョン情報を取得し、取得したＣＤＭチャネル構成情報のバージョン情報と前記内部メモリに保存されているＣＤＭチャネル構成情報のバージョン情報とを比較する過程を含み、両者が同じであるときは、現在のデジタル放送信号からＣＤＭチャネル構成情報の全体の取得を行わないことを特徴とする請求項２に記載のデジタル放送の受信方法。
【請求項４】
前記第５の過程は、前記比較の結果、ＣＤＭチャネル構成情報が更新されている場合には、取得したＣＤＭチャネル構成情報に基づいてＰＳＩの取得をやり直し、このやり直しによって取得したＰＳＩを用いて前記ユーザーが選択した放送チャネルに対応するＣＤＭチャネルの復調をやり直すことを特徴とする請求項２又は３に記載のデジタル放送の受信方法。
【請求項５】
前記第５の過程は、前記比較の結果、ＣＤＭチャネル構成情報が更新されていない場合には、そのままＰＳＩを取得し、取得したＰＳＩが更新されているか否かを判断し、ＰＳＩが更新されている場合には、取得したＰＳＩを用いて前記ユーザーが選択した放送チャネルに対応するＣＤＭチャネルの復調をやり直すことを特徴とする請求項２〜４のいずれか１つに記載のデジタル放送の受信方法。
【請求項６】
前記第５の過程は、ＣＤＭチャネル構成情報よりも先にＰＳＩを取得すると、取得したＰＳＩが更新されているか否かを判断し、ＰＳＩが更新されている場合には、取得したＰＳＩを用いて前記ユーザーが選択した放送チャネルに対応するＣＤＭチャネルの復調をやり直すことを特徴とする請求項２〜４のいずれか１つに記載のデジタル放送の受信方法。
【請求項７】
前記内部メモリに保存されているシステム情報は、ＣＤＭチャネル構成情報、ＰＳＩ及びＳＩ（Service Information）であることを特徴とする請求項１〜４のいずれか１つに記載のデジタル放送の受信方法。
【請求項８】
前記初期受信動作は、前記ユーザーが選択した放送チャネルのウォルシュ（Walsh）コード抽出する動作を含むことを特徴とする請求項１〜５のいずれか１つに記載のデジタル放送の受信方法。
【請求項９】
前記端末機は、衛星ＤＭＢ（Digital Multimedia Broadcasting）及び地上波ＤＭＢの少なくとも一方を受信可能な端末機であることを特徴とする請求項１〜８のいずれか１つに記載のデジタル放送の受信方法。
【請求項１０】
符号分割多重（Code Division Multiplex:ＣＤＭ）方式により伝送されるデジタルマルチメディア放送のトランスポートストリーム（transport stream）を受信する受信部と、
前記トランスポートストリームに含まれるデータを復号する復号部と、
前記トランスポートストリームから取得したＣＤＭチャネル構成情報及びＰＳＩ（Program Specific Information）を含むシステム情報が保存されるメモリと、
前記デジタルマルチメディア放送を受信するときに、前回のデジタルマルチメディア放送の受信時に取得し前記メモリに保存されているシステム情報を用いてユーザーが選択した放送チャネルを受信するための初期受信動作を開始するように制御する制御部と、
を備え、
前記制御部は、前記システム情報を取得したときに該取得したシステム情報を前記メモリに保存させると共に、前記デジタルマルチメディア放送の受信中に前記システム情報が更新されたときには、その更新ごとに前記メモリに保存されているシステム情報を更新させることを特徴とするデジタル放送受信用端末機。
【請求項１１】
前記制御部は、前記メモリに保存されているシステムを用いて前記初期受信動作を開始する一方、現在のトランスポートストリームから取得したシステム情報が更新されているか否かを判断し、その判断結果に応じてその後の受信動作を決定することを特徴とする請求項１０に記載のデジタル放送受信用端末機。
【請求項１２】
前記復号部は、
前記トランスポートストリームに含まれるシステム情報を復号するシステムチャネル復号部と、
前記トランスポートストリームに含まれる放送メディア情報を復号する放送チャネル復号部と、
前記トランスポートストリームに含まれるパイロット同期信号を復号するパイロットチャネル復号部と、
を含むことを特徴とする請求項１０又は１１に記載のデジタル放送受信用端末機。
【請求項１３】
前記メモリに保存されているシステム情報は、ＣＤＭチャネル構成情報、ＰＳＩ及びＳＩ（Service Information）であることを特徴とする請求項１０〜１２のいずれか１つに記載のデジタル放送受信用端末機。
【請求項１４】
前記初期受信動作は、前記ユーザーが選択した放送チャネルのウォルシュ（Walsh）コード抽出する動作を含むことを特徴とする請求項１０〜１３のいずれか１つに記載のデジタル放送受信用端末機。
【請求項１５】
前記デジタルマルチメディア放送は、衛星ＤＭＢ（Digital Multimedia Broadcasting）又は地上波ＤＭＢであることを特徴とする請求項１０〜１４のいずれか１つに記載のデジタル放送受信用端末機。
【発明の詳細な説明】
【技術分野】
【０００１】
本発明は、デジタル放送受信用端末機及びデジタル放送の受信方法に関し、より詳細には、デジタル放送を受信するための初期受信動作にかかる時間を減らすことのできるデジタル放送受信用端末機及びこれを用いたデジタル放送の受信方法に関する。
【背景技術】
【０００２】
例えば、符号多重分割（Code Division Multiplex:ＣＤＭ）信号を用いたデジタル放送を受信するデジタル放送受信用端末機（以下、単に「受信機」又は「端末機」という場合もある。）は、ＣＤＭチャネルを利用して受信した信号を復調（demodulation）する。このＣＤＭチャネルは、３個のシステム情報チャネルと２個のメディアチャネルとから構成される。システム情報チャネルは、放送データを提供するものではなく、主に制御用のためのチャネルである。一方、メディアチャネルは、音声、映像、データ等の様々な放送サービスコンテンツを伝送するためのチャネルである。
【０００３】
システム情報チャネルは、パイロット（Pilot）チャネル、ＣＡＳ（Conditional Access System）チャネル、及び、ＥＰＧ（Electronic Program Guide）チャネルから構成される。ユーザーがどの放送チャネル（番組）を視聴（視取、聴取のいずれか一方の場合も含む。以下同じ。）する場合であっても、受信機は、必ず、システム情報チャネルを受信しなければならないし、システム情報が更新されたか否かを継続してモニタリングしなければならない。ユーザーがデジタル放送の受信を試みると、受信機において必要なシステム情報を取得し、その後にユーザーは希望する放送チャネルの視聴が可能となる。
【０００４】
また、受信機は、パイロットチャネルの構成情報を用いて、「番組特定情報（Program Specific Information：ＰＳＩ）」、「サービス情報（Service Information：ＳＩ）」がどのＣＤＭチャネルに含まれているかを把握する。
ところで、このようなシステム情報は、その重要度によって伝送周期が異なる。受信機が速やかに初期受信動作に入るためには、伝送周期の比較的短い情報（例えば、ＰＳＩ）を迅速に取得しなければならない。
【０００５】
従来技術に係る衛星ＤＭＢ（デジタルマルチメディア放送）用受信機では、初期受信動作に入る際に、図６のフローチャートに示すように、パイロットチャネルの構成情報の取得、ＰＳＩの取得、Ａ／Ｖチャネル（音声信号／映像信号）の復号を順に行うようにしている。
【０００６】
すなわち、図６に示すように、ユーザーがデジタル放送の視聴を試みると（Ｓ１０１）、受信機は、ユーザーに最小限のチャネル情報（チャネルリスト、チャネル名）が記録されたＳＤＴ（Service Description Table）を提供し、ユーザーがこのＳＤＴを用いて放送チャネルの選択を行えるようにする（Ｓ１０２）。
【０００７】
続いて、受信機は、パイロットチャネルを通じて同期をとる（Ｓ１０３）。パイロットチャネルを通じて同期をとった後に、受信機は正常にＣＤＭチャネルを復調できるようになる。
【０００８】
受信機は、パイロットチャネルを通じて同期をとった後、まずパイロットチャネルに含まれるＣＤＭチャネル構成情報を取得し、これを制御部（Main Processor Unit：ＭＰＵ）に伝達する（Ｓ１０４）。
【０００９】
制御部は、ＣＤＭチャネル構成情報に基づいて、システム情報であるＰＳＩ／ＳＩを取得するために復調すべきＣＤＭチャネルを判断し、該判断結果に基づきＰＳＩ／ＳＩの取得を開始する（Ｓ１０５）。
【００１０】
受信機は、放送チャネルを復調するためのＰＳＩ（具体的には、実際にユーザーが選択した放送チャネルに関するＰＡＴ、ＰＭＴ、ＣＡＴ）を取得することによって、ユーザーが選択した放送チャネルの音声、映像及びＣＡＳ等に関連するパケット識別子（ＰＩＤ）を抽出する。ここで、衛星ＤＭＢで用いられるビットデインターリービング（bit de-interleaving）により、ＰＳＩの抽出（取得）を開始してから約３．５秒又はそれ以上の時間遅延が発生することになる。ＣＤＭチャネル構成情報及びＰＳＩを用いることで、受信機は、実際にユーザーが選択した放送チャネルに対応する音声信号及び／又は映像信号を復号するために、どのＣＤＭチャネルを復調すべきか決定することが可能となる（Ｓ１０６）。
【００１１】
このようにして決定されたＣＤＭチャネルの復調を開始し、ユーザーに音声及び／又は映像（すなわち、ユーザーが選択した番組）を提供する（Ｓ１０７）。
上述したように、衛星ＤＭＢで用いられるビットデインターリービングにより、ＰＳＩの抽出を開始してから３．５秒以上の時間遅延が発生する。受信機は、デジタル放送の受信中にＣＤＭチャネル構成情報及びＰＳＩ／ＳＩを継続してモニタリングし、これらの情報が更新されたか否かを判断する。もし、更新された場合には、それまでの情報を、更新された新たな情報に置き換える（Ｓ１０８）。
【００１２】
ここで、デジタル放送を受信するためのシステム情報としてのＰＳＩ／ＳＩのうちＰＳＩは、受信機の動作と直接関係していることから、その伝送周期が比較的短い。この情報が取得されないと、受信機は正しく動作することができない。これに対し、ＳＩ（サービス情報）は、主にシステムの運営やユーザーの便宜のために提供される情報であり、その伝送周期も比較的長い。
【００１３】
パイロットチャネルは、受信信号との同期をとるために用いられるほか、ＣＤＭチャネル構成情報を伝達する目的でも使用される。このＣＤＭチャネル構成情報は、システム側面において、他のＣＤＭチャネルがどのような構成情報を持っているかを知らせる情報である。特に、ＣＤＭチャネル構成情報は、他のＰＳＩ／ＳＩやＡ／Ｖ（音声／映像）データがどのＣＤＭチャネルに在るかを知らせる機能を有している。ＰＳＩ／ＳＩとの組み合わせにおいて、ＣＤＭチャネル構成情報は、ある放送チャネル（番組）を見るために、どのＣＤＭチャネルを復調すべきかを決定する際の基準として使用される（つまり、ＣＤＭチャネル構成情報もデジタル放送を受信するために必要なシステム情報の一つに位置づけることができる）。
したがって、受信機は、通常、次の順に動作する。すなわち、まずパイロットチャネルを通じて同期をとり、次にパイロットチャネルのＣＤＭチャネル構成情報を取得し、その後、この取得したＣＤＭチャネル構成情報に基づいてＰＳＩ／ＳＩを取得する。その後、ユーザーが選択した放送チャネル（番組）に対応するＣＤＭチャネルの復調を開始する。
【００１４】
このように従来技術に係るデジタル放送の受信機は、常にパイロットチャネルを通じて同期をとり、その後、受信機が安定すると、パイロットチャネルのＣＤＭチャネル構成情報を取得するようになっている。このＣＤＭチャネル構成情報は、ＭＰＵ（Main Processor Unit）に伝達され、ＭＰＵは、ＣＤＭチャネル構成情報を解析してＰＳＩ／ＳＩを取得する。すなわち、従来の受信機は、まずＣＤＭチャネル構成情報を取得し、その後にＰＳＩを取得するのである。このため、良好な無線環境下においても、受信器がデジタル放送受信のための初期受信動作に入るまでの時間（別の言い方をすると、初期受信動作に要する時間）が、放送チャネルの切換えよりも長くなってしまう場合がある。これは、放送チャネルの切換え後、初期受信動作に入るまでに、ＣＤＭチャネル構成情報を取得するのに要する時間と、ＰＳＩ／ＳＩへのＣＤＭビットデインターリービング（bit de-interleaving）の実行時間とが要求されるためである。
【発明の開示】
【発明が解決しようとする課題】
【００１５】
デジタル放送信号の同期信号及びＣＤＭチャネル構成情報を伝送するパイロットチャネルは、速やかに同期がとれるように、ビットインターリービングが適用されていない。その代わりに、一般に他のチャネルよりも３ｄＢ（又は２倍）程度の高い送信電力を使用している。しかし、ビットインターリービングを使用していないため、バーストエラー（burst error）に対しては脆弱性を有する。
無線環境の特性から、他のＣＤＭチャネルではビタビ復調後に、パケットエラー（packet error）やビットエラー（bit error）が生じることはほとんどない。しかしながら、パイロットチャネルでは、ビットインターリービングを適用しないことからエラーが生じる場合が多い。
このため、特に弱電界地域においては、パイロットチャネルによって伝送されるＣＤＭチャネル構成情報を取得するのが難しくなり、また、取得できたとしても多くの時間がかかってしまうという問題がある。例えば、弱電界地域において、ユーザーがデジタル放送を視聴しようとした場合、隣の人はデジタル放送を視聴しているにもかかわらず、ユーザーの受信機がデジタル放送を受信するための初期受信動作に入るまでに長い時間がかかってしまうか、初期受信動作に入ることができないことがあるという問題点があった。
【００１６】
本発明は上記のような問題を解決するためになされたものであり、その目的は、デジタル放送を受信するために必要な初期受信動作に入るまでの時間を減らすことのできるデジタル放送受信用端末機及びこれを用いたデジタル放送の受信方法を提供することにある。
【００１７】
本発明の他の目的は、初期受信動作を行えないような事態を回避し、デジタル放送をより高い頻度で受信することのできるデジタル放送受信用端末機及びこれを用いた受信方法を提供することにある。
【課題を解決するための手段】
【００１８】
上記目的を達成するために、本発明は、デジタル放送を受信する際に、その同期を取る前に、すでに内部メモリに保存されているシステム情報を用いて受信初期動作（デジタル放送を受信するために端末機側で行う基本動作）を開始することを特徴とする。
【００１９】
好ましくは、デジタル放送の受信中に前記システム情報が更新されたときは、更新されたシステム情報が前記内部メモリに保存される（システム情報が変更されたときは、内部メモリ内のシステム情報も最新のものに更新される）。
【００２０】
好ましくは、前記内部メモリに保存されているシステム情報と、現在（実際）のデジタル放送信号から取得したシステム情報とを比較し、その比較結果に応じてその後の受信動作を決定する。
【発明の効果】
【００２１】
本発明によれば、デジタル放送を受信する際に、すでに保存されているシステム情報（ＣＤＭチャネル構成情報、ＰＳＩ／ＳＩ等）を用いて初期受信動作を開始するようにしたので、これらの情報に変更（更新）がなかった場合に速やかにデジタル放送を受信することが可能となる。特に、（短期的に見ると）ＣＤＭチャネル構成情報やＰＳＩ等のシステム情報は変更されない可能性が高いので、多くの場合において、デジタル放送の受信開始時における遅延時間を減らすことが可能になる。
【００２２】
例えば、強電界地域では、同期をとる（パイロット同期信号を検出する）前に、保存されたＣＤＭチャネル構成情報とＰＳＩ（ＰＡＴ、ＰＭＴ、ＣＡＴ）／ＳＩを使用して初期受信動作を開始する場合、これら情報が更新されていないときには、ＣＤＭチャネル構成情報とＰＳＩとを取得してから初期受信動作を開始する場合に比べて、約４秒以上の時間を短縮することができ、また、ＣＤＭチャネル構成情報とＳＩを使用して初期受信動作を開始する場合、これら情報の更新がないときには、約１秒以上の時間を短縮することができる。さらに、弱電界地域では、強電界における時間よりも多くの時間を短縮することができる。
【発明を実施するための最良の形態】
【００２３】
本発明の他の目的、特徴及び利点は、添付の図面に基づく実施形態の詳細な説明から明らかになろう。
以下、添付図面を参照して、本発明の好適な実施形態について詳細に説明する。
ただし、図面に示され、また、これに基づいて説明される本発明の構成と作用は、少なくとも一つの実施形態として例示されるものであり、これによって本発明の技術的思想とその核心構成並びにその作用が制限されるものではない。
【００２４】
本発明においては、例えば衛星ＤＭＢ受信装置のようなデジタル放送受信用端末機を用いて、ユーザーがデジタル放送（衛星ＤＭＢ）の視聴を試みると、端末機が、デジタル放送を受信するために必要なシステム情報を取得する前に、あらかじめ保存されているシステム情報を用いて、受信動作（初期受信動作）を開始するようにする。より具体的には、迅速な動作のために、端末機は、すでに保存されているＣＤＭチャネル構成情報及びＰＳＩ（ＰＡＴ、ＰＭＴ、ＣＡＴ）／ＳＩを使用し、あるいは、すでに保存されているＣＤＭチャネル構成情報及びＳＩを使用する。
【００２５】
これに加えて、端末機は、その動作時に、前記システム情報が更新された場合には、その度に保存してある情報を最新の情報に置き換えて、可能なかぎり最新の情報を維持できるようにする。
図１は、本発明の一実施形態に係る符号分割多重（ＣＤＭ）方式により伝送されるデジタル放送を受信可能なデジタル放送受信用端末機の概略構成を示すブロック図である。
【００２６】
図１に示すように、デジタル放送受信用端末機は、デジタルマルチメディア放送のトランスポートストリーム（transport stream）を受信する受信部１０と、この受信部１０から提供され、前記トランスポートストリームに含まれるシステム情報（ＣＡＳ、ＥＰＧ関連情報）を復号するシステムチャネル復号部２１と、受信部１０から提供され、前記トランスポートストリームに含まれる放送メディア信号（音声、映像、データ信号）を復号する放送チャネル復号部２２と、受信部１０から提供され、パイロット同期信号を復号するパイロットチャネル復号部２３と、最近（前回）受信したトランスポートストリームから取得したシステム情報が保存されているメモリ２５と、メモリ２５に保存されているシステム情報を用いて初期受信動作を開始するように制御する制御部（ＭＰＵ）２４と、システムチャネル復号部２１及び放送チャネル復号部２２を介して提供される、多重化された信号から音声信号／映像信号／データ信号などの信号を分離して抽出する逆多重化器（Ｄｅｍｕｘ）２６と、を含んで構成される。
【００２７】
なお、各復号部２１，２２，２３の詳細構成及びその動作は、従来技術におけるものと同一なので省略する。また、初期受信動作には、例えばユーザーが選択した放送チャネルに対応するＣＤＭチャネルのウォルシュ符号（Walsh Code）を抽出することが含まれる。
【００２８】
システム運営の側面において最も優先順位の高い情報（システム情報）が、ＣＤＭチャネル構成情報である。ここで、保存されているＣＤＭチャネル構成情報を使用する理由は、次の通りである。
通常の無線環境では、ＰＳＩを得るためには、通常３．５秒以上の時間がかかる。一方、ＣＤＭチャネル構成情報を伝送するパイロットチャネルは、ビットインターリービングが適用されていないことから、ＰＳＩよりも先に取得することが可能である。また、ＣＤＭチャネル構成情報、チャネルリストに対応するＳＤＴ情報、衛星伝送路の情報、チャネル名と関連するＮＩＴ情報などは、放送システムの運営上、ほとんど変化せず、衛星ＤＭＢサービスの変更あるいはチャネルの変更や追加のような、全体的な放送改編がある場合にのみ変更が加えられるのが一般的である。このため、ＣＤＭチャネル構成情報は速めに取得できるとともに、その更新周期も比較的長いと言え、すでに取得してあるＣＤＭチャネル構成情報がそのまま使用できる可能性が高いからである。
一方、ＰＳＩの場合にも、同じ放送チャネルの各プログラムに異なるＰＩＤが使用される可能性は低いといえる。そのため、ＰＳＩについても比較的その更新周期が長いと言え、すでに取得してあるＰＳＩがそのまま使用できる可能性が高い。そこで、ＣＤＭチャネル構成情報だけではなく、ＰＳＩについても保存するようにし、デジタル放送を受信する際に、該デジタル放送信号から新たに取得したＰＳＩではなく、すでに保存されているＰＳＩを使用して受信初期動作を開始することも考えられる。
【００２９】
なお、保存されているＣＤＭチャネル構成情報をより多く利用するため、保存されているＣＤＭチャネル構成情報のバージョン情報と新たに受信（取得）したＣＤＭチャネル構成情報のバージョン情報と比較するようにしてもよい。この場合、例えば、まずはバージョン情報同士のみを比較するようにし、両者が同じであるときは、新たにＣＤＭチャネル情報を取得したものと見なすことで、再度ＣＤＭチャネル構成情報の全体を取得しなくても済むというメリットがある。また、このようにバージョン情報同士の比較を行うようにすれば、例えば、弱電界地域でＣＤＭチャネル構成情報の全体を取得（受信）することができない場合にも、少なくともバージョン情報を取得すれば、この取得したバージョン情報をＣＤＭチャネル構成情報が更新されたか否かの判断根拠として使用することも可能となる。
そして、本発明では、ＣＤＭチャネル構成情報及びＰＳＩ／ＳＩが変更される可能性が比較的低いことから、これらの値を取得したとき（及び更新されたとき）にメモリ２５に保存するようにし、ユーザーがデジタル放送の視聴を試みたときに、すでに保存されているＣＤＭチャネル構成情報及びＰＳＩ／ＳＩ（例えば、前回の視聴時に取得したＣＤＭチャネル構成情報及びＰＳＩ／ＳＩ）を用いて初期受信動作を開始することで、その初期受信動作における遅延時間（初期受信動作に入るまでの時間）を減らすようにしている。
【００３０】
本発明は、大きく２つの方法に分けられる。すなわち、保存されているＣＤＭチャネル構成情報及びＰＳＩ（ＰＡＴ、ＰＭＴ、ＣＡＴ）／ＳＩを使用する場合（第１方法）と、保存されているＣＤＭチャネル構成情報及びＳＩを使用する場合（第２方法）である。
例えば、強電界地域では、保存されたＣＤＭチャネル構成情報及びＰＳＩ（ＰＡＴ、ＰＭＴ、ＣＡＴ）／ＳＩを使用する場合、これら情報が更新されていないときには、新たに取得して初期受信動作を行う場合に比べて、約４秒又はそれ以上の時間を短縮することができる。また、保存されているＣＤＭチャネル構成情報及びＳＩを使用する場合、これら情報が更新されていないときには、新たに取得して初期受信動作を行う場合に比べて、約１秒又はそれ以上の時間を短縮することができる。なお、弱電界地域では、強電界地域における時間よりも多くの時間を短縮することができる。これにより、初期受信動作にかかる時間を減少させるとともに、初期受信動作が行えない事態を回避してデジタル放送をより高い頻度で受信（視聴）することが可能となる。
【００３１】
図２及び図３は、デジタル放送の受信方法を示すフローチャートであり、保存されているＣＤＭチャネル構成情報及びＰＳＩ（ＰＡＴ、ＰＭＴ、ＣＡＴ）／ＳＩを使用する場合である。この場合は、保存されているＣＤＭチャネル構成情報及びＰＳＩ／ＳＩを用いて、実際にユーザーが選択した放送チャネル（番組）に相当する音声信号、／映像信号を復号するためのＣＤＭチャネルに対する復調を、（新たに）ＣＤＭチャネル構成情報及びＰＳＩ／ＳＩを放送から取得（受信）する前にあらかじめ開始する。したがって、通常の無線環境で上記情報が変わらない（更新されていない）場合には、より速く初期受信動作に入ること（ひいては、デジタル放送を視聴すること）を可能にする。
【００３２】
図２は、ＰＳＩよりもＣＤＭチャネル構成情報が先に取得される場合のデジタル放送の受信方法を示すフローチャートである。
【００３３】
図２に示すように、ユーザーがデジタル放送の視聴を試みる、すなわち、デジタル放送の受信要求があると（Ｓ３０１）、端末機は、ユーザーにチャネル情報（チャネルリスト、チャネル名）が記録されたＳＤＴを提供し、ユーザーが該ＳＤＴを用いて、所望の放送チャネルを選択できるようにする（Ｓ３０２）。
【００３４】
次に、内部メモリに保存されているＣＤＭチャネル構成情報及びＰＳＩ／ＳＩを用いて初期受信動作を開始する（Ｓ３０３）。
【００３５】
続いて、パイロットチャネルを通じて同期をとる（Ｓ３０４）。（パイロットチャネルを通じてデジタル放送信号の）同期をとることができないと、端末機は正常にＣＤＭチャネルを復調することができない。
【００３６】
パイロットチャネルを通じて同期をとった後に、現在放送中のＣＤＭチャネル構成情報及びＰＳＩの取得を試みながら（Ｓ３０５）、内部メモリに保存されているＣＤＭチャネル構成情報及びＰＳＩ（ＰＡＴ、ＰＭＴ、ＣＡＴ）／ＳＩを用いて、ユーザーが選択したチャネル（番組）に対応するＣＤＭチャネルの復調を行う（Ｓ３０６）。
【００３７】
現在の放送（信号）からＣＤＭチャネル構成情報を取得する（Ｓ３０７）。すなわち、ＰＳＩよりも先にＣＤＭチャネル構成情報を取得する。
【００３８】
取得したＣＤＭチャネル構成情報を、メモリに保存されているＣＤＭチャネル情報と比較し（バージョン情報同士の比較でもよい）、更新されているか否かを確認する（Ｓ３０８）。この確認の結果、更新されている場合には、ＰＳＩ／ＳＩの取得を再び試み、すなわち、やり直し（Ｓ３０９）、少なくともＰＳＩを取得する（Ｓ３１０）。そして、取得したＰＳＩを用いてユーザーが選択した放送チャネル（番組）に相当するＣＤＭチャネルの復調を再び行って、すなわち、やり直し（Ｓ３１１）、音声信号、映像信号を抽出してユーザーに音声及び／又は映像を提供する（Ｓ３１２）。
【００３９】
一方、ＣＤＭチャネル構成情報が更新されていない場合には、ＰＳＩを取得し（Ｓ３１３）、ＰＳＩが更新されているか否かを判断する（Ｓ３１４）。
【００４０】
ＰＳＩが更新されている場合には、この取得した（更新後の）ＰＳＩを用いてユーザーが選択したチャネルに対応するＣＤＭチャネルの復調を再び行い（Ｓ３１１）、音声信号、映像信号を抽出してユーザーに音声及び／又は映像を提供する（Ｓ３１２）。
【００４１】
ＰＳＩが更新されていなかった場合には、ＣＤＭチャネルの復調を再び行うことなく（やり直すことなく）、すなわち、Ｓ３０６で復調された信号から音声信号、映像信号を抽出してユーザーに音声及び／又は映像を提供する（Ｓ３１２）。
【００４２】
図３は、ＣＤＭチャネル構成情報よりもＰＳＩが先に取得される場合のデジタル放送の受信方法を示すフローチャートである。
図３に示すように、ユーザーがデジタル放送の視聴を試みる（デジタル放送の受信要求がある）と（Ｓ４０１）、端末機は、ユーザーにチャネル情報（チャネルリスト、チャネル名）が保存されたＳＤＴを提供し、ユーザーが該ＳＤＴを用いてチャネル（番組）を選択できるようにする（Ｓ４０２）。
【００４３】
次に、内部メモリに保存されているＣＤＭチャネル構成情報及びＰＳＩ／ＳＩを用いて初期受信動作を開始する（Ｓ４０３）。
【００４４】
続いて、パイロットチャネルを通じて同期をとる（Ｓ４０４）。同期をとることができないと、端末機は正常にＣＤＭチャネルを復調することができない。
【００４５】
同期をとった後に、現在放送中のＣＤＭチャネル構成情報及びＰＳＩの取得を試みながら（Ｓ４０５）、内部メモリに保存されているＣＤＭチャネル構成情報及びＰＳＩ（ＰＡＴ、ＰＭＴ、ＣＡＴ）／ＳＩを用いて、ユーザーが選択したチャネル（番組）に対応するＣＤＭチャネルの復調を行う（Ｓ４０６）。
【００４６】
現在の放送（信号）からＰＳＩを取得する（すなわち、ＣＤＭチャネル構成情報よりもＰＳＩを先に取得する）と（Ｓ４０７）、この取得したＰＳＩが更新されているか否かを確認する（Ｓ４０８）。確認の結果、更新されている場合には、更新後のＰＳＩを用いて、ユーザーが選択したチャネルに対応するＣＤＭチャネルの復調を再び行う、すなわち、やり直す（Ｓ４０９）。
【００４７】
続いて、現在の放送（信号）からＣＤＭチャネル構成情報のバージョン情報を取得する（Ｓ４１０）。
【００４８】
取得したバージョン情報を確認し、ＣＤＭチャネル構成情報が更新されているか否かを確認する（Ｓ４１１）。
【００４９】
取得したバージョン情報が、メモリに保存されているＣＤＭチャネル構成情報のバージョン情報と異なり、ＣＤＭチャネル構成情報が更新されている場合には、新たな（すなわち、更新後の）ＣＤＭチャネル構成情報を取得し（Ｓ４１２）、また、ＰＳＩ／ＳＩの取得を再び試みて、少なくともＰＳＩを取得する（Ｓ４１３、Ｓ４１４）。
【００５０】
続いて、取得したＰＳＩを用いて、ユーザーが選択した放送チャネル（番組）に対応するＣＤＭチャネルの復調をやり直し（Ｓ４１５）、音声信号、映像信号を抽出してユーザーに音声及び／又は映像を提供する（Ｓ４１６）。
【００５１】
一方、取得したバージョン情報が、メモリに保存されているＣＤＭチャネル構成情報のバージョン情報と同じであり、ＣＤＭチャネル構成情報が更新されていない場合には、ＣＤＭチャネルの復調を再び行う（やり直す）ことなく（すなわち、Ｓ４０６で復調された信号から音声信号、映像信号を抽出して）、ユーザーに音声及び／又は映像を提供する（Ｓ４１６）。
【００５２】
なお、図２、３のいずれの場合においても、デジタル放送の視聴中（受信中）にＣＤＭチャネル構成情報やＰＳＩ／ＳＩが更新されたときには、その更新ごとに新しい情報がメモリに保存される。
【００５３】
図４及び図５は、デジタル放送の受信方法を示すフローチャートであり、保存されているＣＤＭチャネル構成情報及びＳＩを使用する場合である。保存されているＳＩを使用するのは、上述したように、ＳＩは伝送周期が比較的長いので、保存されているＳＩをそのまま使用できる可能性が高いと考えられるからである。なお、図２、図３と同様に、ＣＤＭチャネル構成情報を先に取得するか、ＰＳＩ／ＳＩを先に取得するかによって、端末機は、図４又は図５に示すデジタル放送の受信方法を実行する。この受信方法は、主として、通常の無線環境下では、ＰＳＩを取得する時間よりもＣＤＭチャネル構成情報を取得する時間の方が短いという事実に着目したものであり、ＣＤＭチャネル構成情報が更新されていない場合に、ＣＤＭチャネル構成情報を取得するための時間だけ短縮しようとするものである。この場合、ＰＳＩを取得した後に、ユーザーが選択した放送チャネル（番組）に対応するＣＤＭチャネルの復調が開始される。
【００５４】
図４は、ＣＤＭチャネル構成情報及びＳＩがメモリに保存されている状態で、放送信号からＣＤＭチャネル構成情報が先に取得される場合のデジタル放送の受信方法を示すフローチャートである。
【００５５】
図４に示すように、ユーザーがデジタル放送の視聴を試みると（Ｓ５０１）、端末機は、ユーザーにチャネル情報（チャネルリスト、チャネル名）が記録されたＳＤＴを提供し、ユーザーが該ＳＴＤを用いてチャネル（番組）を選択できるようにする（Ｓ５０２）。
【００５６】
次に、内部メモリに保存されているＣＤＭチャネル構成情報及びＳＩを用いて初期受信動作を開始する（Ｓ５０３）。
【００５７】
続いて、パイロットチャネルを通じて同期をとる（Ｓ５０４）。同期がとれないと、端末機は正常にＣＤＭチャネルを復調することができない。
【００５８】
パイロットチャネルを通じて同期をとった後に、現在放送中のＣＤＭチャネル構成情報及びＰＳＩ／ＳＩの取得を試み（Ｓ５０５）、ＣＤＭチャネル構成情報を取得する（Ｓ５０６）。
【００５９】
すなわち、内部メモリに保存されたＳＩ及びＣＤＭチャネル構成情報を用いて初期受信動作を開始する一方、パイロットチャネルを通じて同期をとると、現在の放送信号からＰＳＩ／ＳＩ及びＣＤＭチャネル構成情報の取得を試みる。
【００６０】
現在の放送信号からＣＤＭチャネル構成情報を取得する（すなわち、ＣＤＭチャネル構成情報をＰＳＩ／ＳＩよりも先に取得する）と（Ｓ５０６）、取得したＣＤＭチャネル構成情報とメモリに保存されているＣＤＭチャネル情報とを比較し（バージョン情報同士の比較でもよい）、更新されているか否かを確認する（Ｓ５０７）。
【００６１】
更新されていない場合には、ＰＳＩ（実際ユーザーが選択したチャネルに関するＰＡＴ、ＰＭＴ、ＣＡＴ情報）を取得し（Ｓ５１２）、取得したＰＳＩを用いてユーザーが選択した放送チャネル（番組）に対応するＣＤＭチャネルの復調を試みる（Ｓ５１０）。
【００６２】
続いて、復調した信号から音声信号、映像信号を抽出してユーザーに音声及び／又は映像を提供する（Ｓ５１１）。
【００６３】
一方、ＣＤＭチャネル構成情報が更新されている場合には、ＰＳＩ／ＳＩの取得を再び試み（Ｓ５０８）、ＰＳＩの取得が完了すると（Ｓ５０９）、この取得したＰＳＩを用いてユーザーが選択した放送チャネル（番組）に対応するＣＤＭチャネルを復調し（Ｓ５１０）、復調した信号から音声信号、映像信号を抽出してユーザーに音声及び／又は映像を提供する（Ｓ５１１）。
【００６４】
図５は、ＣＤＭチャネル構成情報及びＳＩがメモリに保存されている状態で、現在の放送信号からＰＳＩが先に取得される場合のデジタル放送受信方法を示すフローチャートである。
【００６５】
ここで、メモリに保存されたＣＤＭチャネル構成情報及びＳＩを用いて初期受信動作を試み、パイロットチャネルを通じて同期をとると、ＰＳＩ／ＳＩ及びＣＤＭチャネル構成情報の取得を試みる過程（Ｓ６０１〜Ｓ６０５）は、図４のＳ５０１〜Ｓ５０５と同様なので、詳細説明は省略する。
【００６６】
現在の放送信号から（ＣＤＭチャネル構成情報よりも先に）ＰＳＩを取得すると（Ｓ６０６）、これを用いてユーザーが選択した放送チャネル（番組）に相当するＣＤＭチャネルの復調を試みる（Ｓ６０７）。
【００６７】
次に、ＣＤＭチャネル構成情報のバージョン情報を取得する（Ｓ６０８）。
【００６８】
次に、メモリに保存されているＣＤＭチャネル構成情報のバージョン情報と、取得したバージョン情報とを比較し、ＣＤＭチャネル構成情報が更新されているか否かを確認する。なお、バージョン情報は、ＣＤＭチャネル構成情報の伝送フレームに、例えば３ビットの大きさで挿入されている（Ｓ６０９）。
【００６９】
確認の結果、取得したバージョン情報が保存されているＣＤＭチャネル構成情報のバージョン情報と異なり、ＣＤＭチャネル構成情報が更新されている場合には、ＣＤＭチャネル構成情報全体が変わっている可能性が高いので、従来の初期受信動作と同様に、現在の放送信号から更新後のＣＤＭチャネル構成情報を取得する（Ｓ６１０）。
【００７０】
次に、ＰＳＩ／ＳＩの取得を再び試み（Ｓ６１１）、ＰＳＩの取得が完了すると（Ｓ６１２）、取得したＰＳＩを用いてユーザーが選択した放送チャネル（番組）に対応するＣＤＭチャネルの復調を再び試み（Ｓ６１３）、復調した信号から音声信号、映像信号を抽出してユーザーに音声及び／又は映像を提供する（Ｓ６１４）。
【００７１】
一方、取得したバージョン情報と、保存されているＣＤＭチャネル構成情報のバージョン情報とが同じであり、ＣＤＭチャネル構成情報のバージョンが更新されていない場合には、ＣＤＭチャネルの復調をやり直すことなく、Ｓ６０７で復調されたチャネル信号（抽出された音声信号、映像信号）を用いてユーザーに音声及び／又は映像を提供する（Ｓ６１４）。なお、図４、図５においても、デジタル放送受信（視聴）中はＣＤＭチャネル構成情報及びＰＳＩ／ＳＩを継続してモニタリングし、更新された場合には、更新された情報をメモリに保存する。
【００７２】
以上説明してきた内容から当業者なら本発明の技術思想を逸脱しない範囲で種々の変更及び修正が可能であることは明らかである。したがって、本発明の技術的範囲は、明細書中の詳細な説明に記載された内容に限定されるものではなく、添付する特許請求の範囲によって定められるべきである。
【図面の簡単な説明】
【００７３】
【図１】本発明の実施形態に係るデジタル放送受信用端末機の構成を概略的に示すブロック図である。
【図２】本発明の実施形態に係るデジタル放送の受信方法を示すフローチャートである。
【図３】同じく本発明の実施形態に係るデジタル放送の受信方法を示すフローチャートである。
【図４】同じく本発明の実施形態に係るデジタル放送の受信方法を示すフローチャートである。
【図５】同じく本発明の実施形態に係るデジタル放送の受信方法を示すフローチャートである。
【図６】従来のデジタル放送の受信方法を示すフローチャートである。
【符号の説明】
【００７４】
１０    受信部
２１    システムチャネル復号部
２２    放送チャネル復号部
２３    パイロットチャネル復号部
２４    制御部
２５    メモリ
２６    逆多重化器
【図１】
0004557934.tif 000002
【図２】
0004557934.tif 000003
【図３】
0004557934.tif 000004
【図４】
0004557934.tif 000005
【図５】
0004557934.tif 000006
【図６】
0004557934.tif 000007